(57)【特許請求の範囲】
【請求項１】
下面に吸塵用の開口が形成されたケース体と、
前記ケース体の一側の端部に回転自在に設けられた駆動輪と、
前記駆動輪に設けられ、下端部が、前記吸塵用の開口から下方に突出する第１ブラシ体と、
前記駆動輪に接続され、一端面が前記駆動輪の一側面に対向する回転ブラシと、
を備え、
前記駆動輪は、前記一側面に凹部が形成され、
前記回転ブラシは、第２ブラシ体を備え、前記一端面が前記凹部内に配置され、
前記第２ブラシ体は、下端部が前記吸塵用の開口から下方に突出し、前記駆動輪の前記一側面側から前記駆動輪に接触する
電気掃除機の吸い込み具。
【請求項２】
前記回転ブラシは、
棒状の支持体と、
前記第２ブラシ体を前記支持体に固定するために前記支持体の一端部に設けられた蓋体と、
を備え、
前記第２ブラシ体は、前記支持体に設けられ、
前記蓋体は、前記回転ブラシの前記一端面を形成する側面が、前記凹部内に配置された請求項１に記載の電気掃除機の吸い込み具。
【請求項３】
前記回転ブラシは、前記駆動輪に着脱自在に接続され、
前記回転ブラシの前記一端面と前記駆動輪の前記一側面とに、前記回転ブラシを前記駆動輪に連動して回転させるための継ぎ手手段が設けられた
請求項１又は請求項２に記載の電気掃除機の吸い込み具。
【請求項４】
前記ケース体の他側の端部に設けられ、前記回転ブラシが回転軸方向に移動されて前記ケース体から引き抜かれた際に、前記回転ブラシに絡み付いている紐状体を前記回転ブラシから除去する除去爪と、
を備えた請求項３に記載の電気掃除機の吸い込み具。
【請求項５】
前記ケース体の他側の端部に、前記回転ブラシを前記ケース体から引き抜く際に通過させる貫通孔が形成され、
前記除去爪は、前記貫通孔の内側に突出するように配置された
請求項４に記載の電気掃除機の吸い込み具。
【請求項６】
前記ケース体に設けられ、前記駆動輪を駆動するモータと、
を備えた請求項１から請求項５の何れか一項に記載の電気掃除機の吸い込み具。
【請求項７】
請求項１から請求項６の何れか一項に記載の吸い込み具を備えた電気掃除機。
【発明の詳細な説明】
【技術分野】
【０００１】
この発明は、電気掃除機の吸い込み具と、この吸い込み具を備えた電気掃除機とに関するものである。
【背景技術】
【０００２】
下記特許文献１には、電気掃除機の吸い込み具に関する従来技術が開示されている。
特許文献１に記載された吸い込み具では、絡み付いた糸くずや髪の毛を回転ブラシから簡単に取り除くことができるように、回転ブラシがケース体に対して着脱自在に構成されている。回転ブラシの一端部は、ケース体に固定された軸受けに接続されている。回転ブラシの他端部は、ケース体に対して回転自在に設けられた軸継ぎ手に接続されている。軸継ぎ手は、ケース体の内部に設置されたモータの駆動力を回転ブラシに伝達するための部材である。
【先行技術文献】
【特許文献】
【０００３】
【特許文献１】特許第３００７７５９号公報
【発明の概要】
【発明が解決しようとする課題】
【０００４】
電気掃除機の吸い込み具において回転ブラシを着脱自在に構成すると、回転ブラシの端部には、上記継ぎ手部材のような、植毛されていない部材を備えることが必要になる。
【０００５】
特許文献１に記載された吸い込み具では、塵埃（ごみ）を吸い込むための吸塵用の開口から、回転ブラシの着脱を行う。このため、吸塵用の開口はその幅が大きく形成されており、上記継ぎ手部材も吸塵用の開口位置に配置される。即ち、特許文献１に記載の吸い込み具では、吸塵用の開口において、その幅方向に、ブラシ体が存在しない領域が発生する。使用者が掃除の際に吸い込み具を前後に動かしても、上記ブラシ体が存在しない領域では、開口が対向しているにも関わらず、じゅうたん等の毛の中に入り込んだ塵埃を掻き出すことができないといった問題があった。
【０００６】
なお、特許文献１に記載された吸い込み具において、吸塵用の開口の幅を回転ブラシの植毛領域（ブラシ体の幅）に合わせて狭くすると、回転ブラシの他端部を接続するための軸継ぎ手が、ケース体の奥側に配置されてしまう。かかる場合は、回転ブラシを取り付ける際に、回転ブラシの他端部を軸継ぎ手に嵌め合わせる作業が困難になり、利便性が大きく損なわれてしまう。
【０００７】
この発明は、上述のような課題を解決するためになされたもので、その目的は、回転ブラシをケース体に容易に着脱することができ、且つ、吸塵用の開口幅方向において、植毛されていない領域を低減させることができる電気掃除機の吸い込み具と、そのような吸い込み具を備えた電気掃除機とを提供することである。
【課題を解決するための手段】
【０００８】
この発明に係る電気掃除機の吸い込み具は、下面に吸塵用の開口が形成されたケース体と、ケース体の一側の端部に回転自在に設けられた駆動輪と、駆動輪に設けられ、下端部が、吸塵用の開口から下方に突出する第１ブラシ体と、駆動輪に接続され、一端面が駆動輪の一側面に対向する回転ブラシと、を備え、駆動輪は、一側面に凹部が形成され、回転ブラシは、第２ブラシ体を備え、一端面が凹部内に配置され、第２ブラシ体は、下端部が吸塵用の開口から下方に突出し、駆動輪の一側面側から駆動輪に接触するものである。
【０００９】
この発明に係る電気掃除機は、上記吸い込み具を備えたものである。
【発明の効果】
【００１０】
この発明によれば、電気掃除機の吸い込み具において、回転ブラシをケース体に容易に着脱することができ、更に、吸塵用の開口幅方向において、植毛されていない領域を低減させることができる。
【図面の簡単な説明】
【００１１】
【図１】電気掃除機の全体構成を示す図である。
【図２】この発明の実施の形態１における電気掃除機の吸い込み具を示す平面図である。
【図３】この発明の実施の形態１における電気掃除機の吸い込み具を示す底面図である。
【図４】図３に示すＡ部の拡大図である。
【図５】この発明の実施の形態１における電気掃除機の吸い込み具の要部を示す断面図である。
【図６】回転ブラシを示す斜視図である。
【図７】図６に示すＣ部の拡大図である。
【図８】この発明の実施の形態１における電気掃除機の吸い込み具の要部を示す斜視図である。
【図９】継ぎ手装置を示す斜視図である。
【図１０】回転ブラシを駆動輪に接続する直前の状態を示す斜視図である。
【図１１】回転ブラシと駆動輪との接続が完了した状態を示す斜視図である。
【発明を実施するための形態】
【００１２】
添付の図面を参照して、本発明を詳細に説明する。各図において、同一又は相当する部分には、同一の符号を付している。重複する説明については、適宜簡略化或いは省略している。
【００１３】
実施の形態１．
図１は電気掃除機の全体構成を示す図である。電気掃除機は、例えば、掃除機本体１、操作体２、吸い込み具３を備えている。
掃除機本体１には、電動送風機４が備えられている。
操作体２は、掃除機本体１と吸い込み具３との間に接続される。操作体２は、例えば、ホース部５、グリップ部６、伸縮パイプ部７により、その要部が構成される。
【００１４】
吸い込み具３は、空気とともに塵埃（ごみ）を吸い込む部分である。吸い込み具３は、操作体２（の伸縮パイプ部７）の先端に取り付けられる。以下に、図２乃至図１１も参照して、吸い込み具３の具体的な構成及び機能について説明する。
【００１５】
図２はこの発明の実施の形態１における電気掃除機の吸い込み具を示す平面図、図３はその底面図である。図４は図３に示すＡ部の拡大図である。図５はこの発明の実施の形態１における電気掃除機の吸い込み具の要部を示す断面図である。図５は、図４のＢ−Ｂ矢視を示している。
【００１６】
吸い込み具３には、例えば、ケース体８（ケース組立）、接続パイプ９、車輪１０、回転ブラシ１１、モータ（図示せず）、継ぎ手装置１２が備えられている。
【００１７】
ケース体８は、吸い込み具３の筐体に相当するものである。ケース体８は、複数の部品（例えば、成型品）から構成される。ケース体８には、その下面に、塵埃を吸い込むための吸塵用の開口（吸い込み口１３）が形成されている。吸い込み口１３は、ケース体８（吸い込み具３）の幅方向に長手を有する長方形状を呈する。ケース体８には、吸い込み口１３の上方部分に、回転ブラシ１１を配置するための空間が形成されている。即ち、この空間が下方に開口した部分が、吸い込み口１３である。
【００１８】
接続パイプ９は、吸い込み具３を操作体２の（伸縮パイプ部７の）先端に接続するためのものである。接続パイプ９は、円筒状を呈しており、一端部が、ケース体８に回転自在に設けられている。接続パイプ９の中空は、ケース体８の内部空間（回転ブラシ１１を配置するための空間）を介して、吸い込み口１３に通じている。車輪１０は、ケース体８に回転自在に設けられている。
【００１９】
回転ブラシ１１は、じゅうたんや畳の隙間等に入り込んだ塵埃を掻き出すためのものである。回転ブラシ１１は、ケース体８に設けられたモータによって回転駆動される。モータを回転ブラシ１１の側方に設置すると、吸い込み具３の全体の幅に対して、吸い込み口１３の幅が小さくなってしまう。このため、本吸い込み具３では、モータの軸を回転ブラシ１１の回転軸と平行に配置し、モータの駆動力を継ぎ手装置１２によって回転ブラシ１１に伝達している。継ぎ手装置１２は、回転ブラシ１１の側方、即ち、ケース体８の一側の端部に設けられている。
【００２０】
図６は回転ブラシを示す斜視図、図７は図６に示すＣ部の拡大図である。
回転ブラシ１１は、支持体１４、ブラシ体１５、蓋体１６、取付部１７を備えている。
【００２１】
支持体１４は、棒状を呈する部材からなる。支持体１４の一端部には、蓋体１６が設けられている。支持体１４の他端部には、取付部１７が設けられている。支持体１４は、断面が略十字状を呈する。その断面において十字を構成する４つの突出部１４ａは、支持体１４（回転ブラシ１１）の軸方向に沿って螺旋状に形成されている。
【００２２】
ブラシ体１５は、じゅうたんや畳の隙間等に入り込んだ塵埃を掻き出すためのものである。ブラシ体１５は、支持体１４の各突出部１４ａから突出するように設けられている。ブラシ体１５は、支持体１４の軸を中心として放射状に、且つ、支持体１４の軸方向に沿って螺旋状に配置されている。
【００２３】
蓋体１６は、ブラシ体１５を支持体１４に固定するためのものである。支持体１４の突出部１４ａには、その頂部に沿って溝が形成されている。ブラシ体１５は、根元部分が、支持体１４の一端面側から上記溝に挿入される。ブラシ体１５の挿入後に蓋体１６が支持体１４の一端面に固定されることにより、ブラシ体１５は支持体１４に取り付けられる。
【００２４】
上記構成を有する回転ブラシ１１は、一端部が継ぎ手装置１２に接続される。回転ブラシ１１の他端部は、ケース体８の他側の端部に取り付けられる。回転ブラシ１１の各端部が適切に取り付けられると、回転ブラシ１１はケース体８に回転自在に支持される。また、回転ブラシ１１の各端部が適切に取り付けられると、ブラシ体１５は、その下端部が、吸い込み口１３から下方に突出するように配置される。
【００２５】
回転ブラシ１１は、掃除の時に絡み付いた糸くずや髪の毛（紐状体）を簡単に取り除くことができるように、ケース体８に対して着脱自在に構成されている。回転ブラシ１１の取り付け及び取り外しは、ケース体８の側方から行う。図８はこの発明の実施の形態１における電気掃除機の吸い込み具の要部を示す斜視図である。図８は、回転ブラシ１１を取り外して（或いは、取り付けて）いる時の状態を示す図であり、ケース体８の他側の端部を斜め上方から見た図を示している。
【００２６】
ケース体８の他側の端部には、貫通孔８ａが形成されている。貫通孔８ａは、一側がケース体８の内部空間（回転ブラシ１１を配置するための空間）に、他側がケース体８の側方に開口する。回転ブラシ１１を取り外す場合、使用者は、回転ブラシ１１が貫通孔８ａを通過するように、回転ブラシ１１の取付部１７を持って回転軸方向に移動させ、回転ブラシ１１をケース体８から引き抜く。
【００２７】
１８は回転ブラシ１１に絡み付いた糸くずや髪の毛を取り除くための除去爪である。除去爪１８は、ケース体８の他側の端部に、貫通孔８ａの内側に突出するように設けられている。除去爪１８は、支持体１４の突出部１４ａ間に配置される。回転ブラシ１１をケース体８から引き抜くと、回転ブラシ１１が貫通孔８ａを通過する際に、糸くずや髪の毛が除去爪１８に引っ掛かり、回転ブラシ１１から取り除かれる。
【００２８】
回転ブラシ１１が貫通孔８ａを通過する時、ブラシ体１５は、貫通孔８ａを形成する周壁に接触する。このため、ブラシ体１５の毛の長さが長いと、回転ブラシ１１をケース体８から引き抜く時に大きな負荷が掛かり、その作業が困難になる。このような理由から、回転ブラシ１１のブラシ体１５の毛の長さは、短めに設定されている。
【００２９】
継ぎ手装置１２は、モータの駆動力を回転ブラシ１１に伝達するためのものである。図９は継ぎ手装置を示す斜視図である。なお、回転ブラシ１１の駆動源は、吸い込み具３に備えられたモータに限るものではない。例えば、電動送風機４の吸引力により生じる気流によって回転駆動するタービンを用いて、回転ブラシ１１を駆動しても良い。
継ぎ手装置１２には、例えば、軸１９、従動輪２０、ベルト２１、ホルダ２２及び２４、軸受け２３及び２５、駆動輪２６、ブラシ体２７が備えられている。
【００３０】
軸１９は、吸い込み口１３の長手方向に配置されている。また、軸１９は、モータの軸（図示せず）に対して平行に配置されている。
従動輪２０は、軸１９の一端部側に固定されている。従動輪２０には、その外周面に、ベルト２１が巻き掛けられている。ベルト２１は、モータの軸にも巻き掛けられている。このため、従動輪２０（軸１９）は、モータの軸（の回転）に連動して回転する。
【００３１】
ホルダ２２は、軸１９に軸受け２３を介して設けられている。ホルダ２２は、従動輪２０の一側に配置されている。ホルダ２４は、軸１９に軸受け２５を介して設けられている。ホルダ２４は、従動輪２０の他側に配置されている。ケース体８の一端の端部には、側壁８ｂに近接して内壁８ｃが、この内壁８ｃに対向するように、更に内側に内壁８ｄが設けられている。ホルダ２２は、内壁８ｃに取り付けられている。ホルダ２４は、内壁８ｄに取り付けられている。これにより、従動輪２０（及び、ベルト２１）は、内壁８ｃ及び８ｄに挟まれた空間に配置され、ケース体８に対して回転自在に支持される。なお、内壁８ｄの下端部分は、吸い込み口１３の一側の縁部を形成する。
【００３２】
駆動輪２６は、掃除の時に、吸い込み具３の走行を補助するためのものである。即ち、駆動輪２６がモータ駆動されてじゅうたん等の上を進むため、使用者は、吸い込み具３の操作を楽に行うことができる。
【００３３】
回転ブラシ１１のブラシ体１５の腰が強い、或いは毛足が長ければ、回転ブラシ１１を回転させることによって、十分な駆動力（掃除の時に吸い込み具３を走行させるための力）を得ることができる。しかし、本吸い込み具３では、回転ブラシ１１をケース体８から引き抜く操作が困難になるため、毛の長さが短いブラシ体１５を採用している。ブラシ体１５の毛の長さが短いと、掃除の際に十分な駆動力（掃除の時に吸い込み具３を走行させるための力）を得ることができない恐れがある。駆動輪２６は、このような事情を考慮して備えられたものである。
【００３４】
駆動輪２６は、軸１９に固定されている。このため、駆動輪２６は、ケース体８に回転自在に支持されている。駆動輪２６は、軸１９、従動輪２０、ベルト２１を介して、モータの軸（の回転）に連動して回転する。駆動輪２６は、ホルダ２４の他側に配置される。上述したように、ホルダ２４が固定された内壁８ｄの下端部は、吸い込み口１３の縁部を形成する。このため、駆動輪２６は、吸塵用の開口位置（吸い込み口１３の上方位置）に配置される。
【００３５】
駆動輪２６には、外周面から突出するようにブラシ体２７が設けられている。ブラシ体２７は、その下端部が、吸い込み口１３から下方に突出するように配置される。ブラシ体２７がじゅうたん等に接触することにより、吸い込み具３を走行させるための駆動力を発生させることができる。この時、ブラシ体２７は、ブラシ体１５と同様に、じゅうたんや畳の隙間等に入り込んだ塵埃を掻き出す。
【００３６】
回転ブラシ１１は、駆動輪２６の貫通孔８ａ側を向く側面（以下、駆動輪２６の「一側面」という）に一端面を対向させた状態で、駆動輪２６に接続される。回転ブラシ１１が駆動輪２６に適切に接続されると、回転ブラシ１１の回転軸と駆動輪２６の回転軸とが一致する。
【００３７】
回転ブラシ１１は、駆動輪２６に対して着脱自在に接続される。このため、回転ブラシ１１の上記一端面と駆動輪２６の上記一側面とには、回転ブラシ１１を駆動輪２６に着脱自在に接続するための継ぎ手手段が備えられている。継ぎ手手段は、回転ブラシ１１及び駆動輪２６の接続と接続の解除とを、回転ブラシ１１の回転軸方向への移動によって行う機能と、接続時に、回転ブラシ１１を駆動輪２６に連動させて回転させる機能とを備えている。
【００３８】
例えば、継ぎ手手段は、回転ブラシ１１の一端面に形成された嵌合穴１１ａと、駆動輪２６の一側面に設けられた突起部２６ａとによって構成される。嵌合穴１１ａは、蓋体１６の上記側面に形成された貫通孔と、支持体１４の端面に形成された窪み穴とによって成形される。嵌合穴１１ａの軸方向は、回転ブラシ１１の回転軸方向に一致する。
【００３９】
突起部２６ａは、駆動輪２６の一側面から回転軸方向に突出した部分からなる。突起部２６ａが回転ブラシ１１の嵌合穴１１ａに軸方向から挿入されて適切に嵌め合わされることにより、回転ブラシ１１が駆動輪２６に接続される。図１０は回転ブラシを駆動輪に接続する直前の状態を示す斜視図、図１１は回転ブラシと駆動輪との接続が完了した状態を示す斜視図である。
【００４０】
なお、嵌合穴１１ａが形成されている回転ブラシ１１の一端面は、蓋体１６の側面によって形成されている。蓋体１６は、ブラシ体１５を支持体１４に固定するための部材である。このため、蓋体１６は植毛されていない。したがって、回転ブラシ１１を単に駆動輪２６に接続しただけでは、回転ブラシ１１と駆動輪２６との間に、植毛されていない領域が発生してしまう。
【００４１】
駆動輪２６の一側面には、回転ブラシ１１の一端部を収容するための凹部２６ｂが形成されている。突起部２６ａは、凹部２６ｂ内（凹部２６ｂの底面）から突出するように形成されている。凹部２６ｂは、駆動輪２６の軸方向から見て円形状を呈する。その径は、蓋体１６の外径よりも大きい。このため、回転ブラシ１１が駆動輪２６に接続されると、回転ブラシ１１の一端面（蓋体１６の側面）は、凹部２６ｂ内に配置される。
【００４２】
また、凹部２６ｂは、駆動輪２６の回転軸方向に、蓋体１６の厚み（回転ブラシ１１の回転軸方向の幅）程度、或いはそれ以上の深さを有している。このため、回転ブラシ１１が駆動輪２６に接続されると、蓋体１６は、その一部（先端部）或いは全部が、回転軸と直交する方向においてブラシ体２７と重なる位置に配置される。
【００４３】
更に、回転ブラシ１１が駆動輪２６に接続されると、回転ブラシ１１のブラシ体１５が、駆動輪２６に対してその一側面側から接触する。このため、回転軸方向に、ブラシ体２７及びブラシ体１５を隙間なく連続して配置することができ、吸い込み口１３の幅方向において、植毛されていない領域を低減させることができる。ブラシ体２７及びブラシ体１５は、モータが駆動されることによって一体的に回転する。このため、掃除の時に吸い込み具３を走行させるための十分な駆動力を確保することができる。
【００４４】
上記構成を有する吸い込み具３では、突起部２６ａが形成された駆動輪２６の一側面が、吸塵用の開口位置、即ち、吸い込み口１３の縁部を形成する内壁８ｄよりも中央側に配置される。このため、使用者は、回転ブラシ１１を駆動輪２６に接続する時に、突起部２６ａと嵌合穴１１ａとの嵌合状態を吸い込み口１３から目視にて容易に確認することができ、回転ブラシ１１をケース体８に容易に取り付けることができる。
【符号の説明】
【００４５】
１  掃除機本体
２  操作体
３  吸い込み具
４  電動送風機
５  ホース部
６  グリップ部
７  伸縮パイプ部
８  ケース体
８ａ  貫通孔
８ｂ  側壁
８ｃ、８ｄ  内壁
９  接続パイプ
１０  車輪
１１  回転ブラシ
１１ａ  嵌合穴
１２  継ぎ手装置
１３  吸い込み口
１４  支持体
１４ａ  突出部
１５、２７  ブラシ体
１６  蓋体
１７  取付部
１８  除去爪
１９  軸
２０  従動輪
２１  ベルト
２２、２４  ホルダ
２３、２５  軸受け
２６  駆動輪
２６ａ  突起部
２６ｂ  凹部
【図１】
0005803388.tif 000002
【図２】
0005803388.tif 000003
【図３】
0005803388.tif 000004
【図４】
0005803388.tif 000005
【図５】
0005803388.tif 000006
【図６】
0005803388.tif 000007
【図７】
0005803388.tif 000008
【図８】
0005803388.tif 000009
【図９】
0005803388.tif 000010
【図１０】
0005803388.tif 000011
【図１１】
0005803388.tif 000012